【事件の表示】
　特願２００４−１０４１９５「フリース連続体の製造方法と装置」拒絶査定不服審判事件〔平成１６年１２月　２日出願公開、特開２００４−３３７１６１〕について、次のとおり審決する。
【結　論】
　本件審判の請求は、成り立たない。
【理　由】
Ｉ．手続の経緯
　本願は、平成１６年３月３１日の出願（パリ条約による優先権主張２００３年４月３日、欧州特許庁）であって平成２２年６月１１日付けで拒絶査定がなされ、これに対し、平成２２年１０月２５日に拒絶査定不服審判の請求がなされるとともに、同日付けで手続補正がなされたものである。
　
II．平成２２年１０月２５日付けの手続補正についての補正却下の決定
［補正却下の決定の結論］
　平成２２年１０月２５日付けの手続補正（以下「本件補正」という）を却下する。
　
［理由］
１．補正後の本願発明
　本件補正により、特許請求の範囲の請求項１３は、次のように補正された。
「繊維フリース（２９，３３，３４）をコンベヤ（３２）上で形成するために、分離されたフィルタ材料をコンベヤ（３２）上に搬送する降下装置（１１，５３）と、繊維フリース（２９，３３，３４）の周りに被覆材料帯（４２）を巻く成形装置（５６）と、繊維フリース（２９，３３，３４）をコンベヤ（３２）から成形装置（５６）に移送するための装置（３６，５４，６２，６３，６６，７０，７２，７３）とを備え、降下装置（１１，５３）が、搬送空気によってコンベヤ（３２）の方向のフィルタ材料（２７）の搬送を可能にし、繊維フリース（２９，３３，３４）のコンベヤ（３２）から成形装置（５６）への移送部の下流に硬化装置（３９）が設けられており、
コンベヤ（３２）の吸引ベルト（４３）の終端部に、圧縮空気（６７）を作用可能なノズル（６８，７０，７１）が配設され、このノズルのノズルスリットを通って流れる圧縮空気（６７）により、繊維フリースが、吸引ベルト（４３）から剥がされ、被覆材料帯（４２）上に搬送される
　
２．補正の目的
　本件補正は、請求項１３に記載した発明を特定するために必要な事項である「被覆材料帯（４２）に載せるために、繊維フリース（２９，３３，３４）が圧縮空気（３７，６７，６９）によってコンベヤ（３２）の吸引ベルト（４３）から剥離可能である」点について、「コンベヤ（３２）の吸引ベルト（４３）の終端部に、圧縮空気（６７）を作用可能なノズル（６８，７０，７１）が配設され、このノズルのノズルスリットを通って流れる圧縮空気（６７）により、繊維フリースが、吸引ベルト（４３）から剥がされ、被覆材料帯（４２）上に搬送される」との限定をするものであり、かつ、補正後の請求項１３に記載された発明は、補正前の請求項１３に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
３．独立特許要件
　そこで、本件補正後の前記請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３−１．引用例の記載事項
　原査定の拒絶の理由に引用された、特開昭５７−５８８７８号公報（以下「引用例」という）には、図面と共に次の事項が記載されている。
　
ア「本発明は、フイルタ材料、特に巻煙草のフイルタの材料を製造する装置と、方法とに関する。
　巻煙草のフイルタは、通常セルロースアセテートの縮らせた短繊維の群から成るフイルタトウから一般に作られる。該トウは、梱から引出され、繊条を分離して均等に拡げる如く差動速度のローラで伸張され、完成フイルタの断面を有する流れを形成する如く最後に圧縮される。トリアセチンの様な可塑剤は、繊条が拡げられている際に繊条に通常噴霧される。繊条の圧縮された流れは、連続的なロツドを形成する如く連続的な包み紙で包囲されるか、または蒸気あるいはその他の或る熱源で凝結されてもよく、該ロツドは、規則的な間隔で次に切断される。」（３ページ右下欄２〜１５行）
　　　
イ「該受取り装置は、ロツド成形装置に直接に流れを供給し得る空気式装置を備えてもよい。・・・該受取り装置は、前記破断繊条がその上に堆積される線条状材料の担体の流れを搬送する装置を備えてもよい。」（４ページ左上欄１４行〜右下欄１４行）
　　
ウ「第１図は、ローラ１１，１２間に下方へ送られた後、トウを伸張する如くローラ１１，１２よりも早い速度で回転するローラ１３，１４間に下方へ送られる縮らせたフイルタトウ１０を示す。・・・ローラ１６のピン１５は、フイルタトウの単繊維に係合して種々な長さの部分に該繊維を破断し、これ等の繊維は、下方へ延びるダクト１７内に送られる以前に、最初にローラ１６で更に搬送される。ローラ１６の周辺は、図示の如く、ローラから繊維を除去するのを扶助する様にマニホールド１９から外方へ空気を吹付けるほぼ半径方向の通路１８を形成されてもよく、これと異なり、大気圧の空気がマニホールド１９に導入され、遠心ポンプ作用で通路１８を介し変位されてもよい。ローラ１６の上部領域には、ローラへ繊維を引張るのを扶助する如く吸引が存在してもよい。
　ローラ１６を去る際、破断された繊条は、無作為に方向づけられる。該繊条は、例えば、コンベヤバンド２０（図式的に示される）上の道に続き、バンド２０は、ロツド成形装置２１に繊条の流れを送る。吸引は、繊条を位置決めして該流れを搬送する如くバンド２０を介して加えられてもよい。該装置２１は、フイルタロツド２２を連続的に成形し、該ロツド２２は、次に、個々のロツド２４を作る如く切断装置２３で規則的な間隔で切断される。」（５ページ右上欄７〜左下欄１７行）
　
エ「第７図は、領域４１上に繊維を供給されるコンベヤバンド４０と、繊維を寄せ集める如くバンド４０と同一の方向へ移動中に収斂する側部バンド４２，４３とを示す。従つて、無作為な方向性の繊維の狭い流れ４４が作られ、ロツド成形装置（図示せず）へ送られる。収斂するバンド４２，４３の代りに、固定された収斂する側壁が設けられても良い。
　バンド４０と、第１図、第６図の同様なバンドとは、多孔性でもよく、吸引は、適当な場合にはバンドで繊維を把持する如く下方からバンドを介して伝達可能である。例えば、第７図では、吸引チヤンバは、その側部が収斂するバンド４２，４３に対応する如く勾配を付けられてもよい。
　収斂するバンド４２，４３の欠如の際、バンド４０の上方または下方に収斂する空気圧力マニホールドが設けられてもよく、空気のジエツトは、繊維がコンベヤ４０上を移動する際にコンベヤ４０の中心に向つて繊維を変位する如く該マニホールドから内方へ送られる。」（７ページ右上欄１〜２０行）
　
オ「好ましくは、流れ６３のトウの少くとも７０％を有する主な流れ７２は、ローラ７６を越え漏斗形移送ジエツト７８へ上方に送られ、空気は、ピンローラ８０の周辺へトウを搬送する如くジエツト７８に吹込まれる。・・・流れ６３にほぼ整合して前方へ送られ（下流ローラ８４で）、・・・」（８ページ右下欄１４〜９ページ左上欄７行）
　
　そして、第１図には、フイルタロツド製造機の側面図が示されており、記載ウに関連して、ピンローラ１６で破断された短繊維状の繊条が、ダクト１７内を搬送されてコンベヤバンド２０上に堆積し、コンベヤバンド２０が、ロツド成形装置２１に繊条を搬送し、フイルタロツド２２が成形されることが図示されている。なお、第１図には、記載イに関連して、マニホールド１９から空気が吹き出される状態が示されている。
　第９図には、記載エに関連して、別の実施例として、ピンローラ８０へ空気流によってトウを搬送する漏斗形移送ジエツト７８を備えたものが示されている。また、コンベヤバンド８８とフイルタロツド製造ユニット９２との間に下流ローラ８４を設けていることが示されている。
　
　上記記載事項について検討する。
　記載アによると、一般に、巻煙草のフイルタは、短繊維の群から成るフイルタトウから作られ、分離して拡げられた繊条はフイルタ断面を有するように圧縮され、連続的なロツドを形成する如く連続的な包み紙で包囲されたり、熱源により凝結されることが示されている。
　記載ウによると、トウがローラ１６により破断され、無作為に方向づけられた繊条がダクト１７内に送られ、コンベヤバンド２０上に繊条の流れが形成されることが示され、繊条を位置決めして該流れを搬送する如くバンド２０を介して吸引が加えられてもよい旨記載されている。また、バンド２０上の繊条の流れはロツド成形装置２１に送られることが記載されている。言い換えると、繊条の流れはコンベヤバンド２０から、ロツド成形装置２１に搬送されることが記載されている（破断され無作為に方向づけられた繊条をコンベヤバンド上にもたらす、ローラ１６及びダクト１７を含む構造を、以下、便宜上「繊条供給組立体」と呼ぶ）といえる。
　なお、記載ウには、「下方へ延びるダクト１７」とあることから、ダクト内の繊条は主に重力で降下し、コンベヤバンド上に搬送されると認められるが、記載ウにはまた、「ローラ１６の周辺は、図示の如く、ローラから繊維を除去するのを扶助する様にマニホールド１９から外方へ空気を吹付けるほぼ半径方向の通路１８を形成されてもよく」との記載もあり、ローラから除去された繊維は、マニホールドから吹き出された気流にのって下方へ運ばれることも認められるから、記載ウには、空気によって繊条を搬送することも示唆されているといえる。
　　記載エには、成形装置へ搬送される繊維（繊条）の流れを狭い流れに寄せ集めることが示され、バンド（コンベヤバンド）４０は、多孔性で、記載イの上記記載事項同様、吸引が下方からバンドを介して伝達可能である旨記載されている。
　なお、記載エには、繊維（繊条）をコンベヤ４０の中心に向って寄せ集める手段として、収斂する側部バンド４２，４３に代え、コンベヤ下方に設けられる空気圧力マニホールドからの空気のジェットによってもよい旨示されている。
　記載オには、ピンローラ８０へのトウの搬送に、漏斗形移送ジエツト７８による空気流を用いることが示されている。
　さらに、記載ウの「吸引は、線条を位置決めして該流れを搬送する如くバンド２０を介して加えられてもよい。」との記載、及び図１のコンベヤバンド２０とロッド成形装置２１との関連構成に係る記載からみて、線条の流れは、コンベヤバンド２０から剥がされるものであると理解できる。
　そうすると、上記記載ア及びウの摘記事項並びに第１図の図示内容を総合し、本願補正発明の記載ぶりに則って整理すると、引用例には、次の発明（以下「引用発明」という）が記載されている。
　
「繊条の流れをコンベヤバンド２０上で形成するために、破断され、無作為に方向づけられた繊条をコンベヤバンド２０上に搬送する繊条供給組立体と、繊条の流れを成形するロツド成形装置２１とを備え、繊条供給組立体が、コンベヤバンド２０方向の破断され、無作為に方向づけられた繊条の搬送を可能にし、コンベヤバンド２０は吸引が加えられるものであり、繊条の流れはコンベヤバンド２０から剥がされ、ロツド成形装置２１に搬送されるフイルタロツド製造装置。」
　
３−２．対比
　本願補正発明と引用発明とを対比すると、各文言の意味、機能または作用等からみて、引用発明の「繊条の流れ」は、本願補正発明の「繊維フリース」に相当する。
　また、引用発明の「コンベヤバンド２０」は、本願補正発明の「コンベヤ」に相当するとともに、吸引が加えられるものであることから、「吸引ベルト」にも相当する。
　引用発明の「破断され、無作為に方向づけられた」「繊条」は、フイルタの材料であることが明らかであり、また、ばらばらな状態になっていることも明らかであることから、本願補正発明の「分離された」「フィルタ材料」に相当する。
　引用発明の「繊条供給組立体」は、本願補正発明の「降下装置」に相当する。
　引用発明の「ロツド成形装置２１」は、繊維フリースに相当する繊条の流れを成形する点で、本願補正発明の「成形装置」に相当する。
　引用発明の「繊条供給組立体が、コンベヤバンド２０方向の破断され、無作為に方向づけられた繊条の搬送を可能にし」と、本願補正発明の「降下装置（１１，５３）が、搬送空気によってコンベヤ（３２）の方向のフィルタ材料（２７）の搬送を可能にし」とは、「降下装置が、コンベヤの方向のフィルタ材料の搬送を可能にし」ている点で共通する。
　引用発明の「コンベヤバンド２０は吸引が加えられるものであり、繊条の流れはコンベヤバンド２０から剥がされ、ロツド成形装置２１に搬送される」と、本願補正発明の「コンベヤ（３２）の吸引ベルト（４３）の終端部に、圧縮空気（６７）を作用可能なノズル（６８，７０，７１）が配設され、このノズルのノズルスリットを通って流れる圧縮空気（６７）により、繊維フリースが、吸引ベルト（４３）から剥がされ、被覆材料帯（４２）上に搬送される」とは、「コンベヤの吸引ベルトから繊維フリースが剥がされ、搬送される」点で共通する。
　
　そこで、本願補正発明の用語を用いて表現すると、両者は次の点で一致する。
（一致点）
「繊維フリースをコンベヤ上で形成するために、分離されたフィルタ材料をコンベヤ上に搬送する降下装置と、成形装置とを備え、降下装置が、コンベヤの方向のフィルタ材料の搬送を可能にし、繊維フリースが、コンベヤの吸引ベルトから剥がされ、搬送されるフィルタ連続体製造装置。」
　
　そして、両者は次の点で相違する（対応する引用発明（引用例記載）の用語を（　）内に示す）。
（相違点１）
　本願補正発明の成形装置は、繊維フリースの周りに被覆材料帯を巻くものであるのに対し、引用発明の成形装置（「ロツド成形装置２１」）は、そのようなものか明らかでなく、また、本願補正発明は、繊維フリースが、吸引ベルトから剥がされ、被覆材料帯上に搬送されるものであるが、引用発明では、吸引ベルト（コンベヤバンド２０）から剥がされた繊維フリース（繊条の流れ）が被覆材料帯上に搬送されるものであるか明らかでない点。
　
（相違点２）
　本願補正発明は、繊維フリースをコンベヤから成形装置に移送するための装置を備えるのに対し、引用発明は、その点が明らかでない点。
　
（相違点３）
　本願補正発明の降下装置は、搬送空気によってコンベヤの方向のフィルタ材料の搬送を可能にするものであるのに対し、引用発明の降下装置（繊条供給組立体）は、コンベヤ（コンベヤバンド２０）の方向のフィルタ材料（破断され、無作為に方向づけられた繊条）の搬送を可能にするものであるが、搬送が搬送空気によるものであるか明らかでない点。
　
（相違点４）
　本願補正発明は、繊維フリースのコンベヤから成形装置への移送部の下流に硬化装置が設けられているのに対し、引用発明は、その点が明らかでない点。
　
（相違点５）
　本願補正発明は、コンベヤの吸引ベルトの終端部に、圧縮空気を作用可能なノズルが配設され、このノズルのノズルスリットを通って流れる圧縮空気により、繊維フリースが、吸引ベルトから剥がされるのに対し、引用発明は、繊維フリース（繊条の流れ）が、コンベヤの吸引ベルト（コンベヤバンド２０）から剥がされるものであるが、コンベヤの吸引ベルトの終端部に、圧縮空気を作用可能なノズルが配設されていない点。
　
３−３．相違点の判断
　上記相違点について検討する。
（相違点１について）
　引用例には、フイルタトウを、連続的なロッドを形成する如く連続的な包み紙で包囲したり、熱源により凝結すること（記載ア）が示されている。
　一方、繊維フリース（フイルタトウ）を被覆材料帯（連続的な包み紙）上に搬送し、これで包囲するようにした成形装置は、例えば、原査定の拒絶の理由に引用された、特開平２−７２８５６号公報（繊維とう１［繊維フリースに相当］を被覆材料１１［被覆材料に相当］上に供給し、これで被覆しフイルタ連続体を形成する点：３ページ左下欄１４〜１９行、第１図参照）に示すように従来周知でもある。
　そこで、引用発明の成形装置（ロツド成形装置２１）を、繊維フリースの周りに被覆材料帯を巻くものとし、吸引ベルト（コンベヤバンド２０）から剥がされた繊維フリース（繊条の流れ）が被覆材料帯上に搬送されるようにして、相違点１に係る本願補正発明の発明特定事項のようにすることは当業者が適宜なし得たことである。
　
（相違点２について）
　引用例には、別の実施例として、第９図に、コンベヤバンド８８とフイルタロツド製造ユニット９２との間に下流ローラ８４を設けたものが記載されている。
　この下流ローラ８４は、繊維フリース（繊条の流れ）をコンベヤ（コンベヤバンド８８）から成形装置（フイルタロツド製造ユニット９２と）に移送している点で、本願補正発明でいう、繊維フリースをコンベヤから成形装置に移送するための装置に相当する。
　そこで、引用発明においても、コンベヤ（コンベヤバンド２０）と成形装置（ロツド成形装置２１）との間に、このような繊維フリース（繊条の流れ）を移送するための装置を介在させ、相違点２に係る本願補正発明の発明特定事項のようにすることは、当業者が必要に応じ適宜なし得た事項であるといえる。
　
（相違点３について）
　引用例の記載ウ及び第１図には、重力と、マニホールド１９から吹き出される空気とによって、フィルタ材料（破断され、無作為に方向づけられた繊条）を、ダクト１７内で下方すなわちコンベヤ（コンベヤバンド２０）のある方向に搬送することが示唆され、記載イには、空気式装置の記載もある。　さらに、引用例の記載オ及び第９図には、別の実施例として、ピンローラ８０へのトウの搬送に、漏斗形移送ジエツト７８による空気流を用いることが記載されている。
　そこで、引用発明において、降下装置（繊条供給組立体）を、主に搬送空気によりコンベヤ（コンベヤバンド２０）の方向のフィルタ材料（破断され、無作為に方向づけられた繊条）の搬送が可能なものに構成し、相違点３に係る本願補正発明の発明特定事項のようにすることは当業者が容易に想到し得たことである。
　
（相違点４について）
　引用例には、フイルタトウを、連続的なロッドを形成する如く連続的な包み紙で包囲したり、熱源により凝結すること（記載ア）が記載されている。　このことから、引用例には、成形にあたり、繊維フリースに相当するフイルタトウを熱源により凝結すること、すなわち、本願補正発明でいう硬化装置で硬化させることが示唆されているといえる。
　一方、繊維フリースを成形する工程に硬化装置を設けることは、例えば、原査定の拒絶の理由に引用された、特表平１１−５０７９９４号公報（煙草フィルターのための繊維［繊維フリースに相当］を加熱流体や誘電体加熱炉［硬化装置に相当］で加熱し結合させ、自己支持性の細長い材料とする点：２６ページ２２行〜２７ページ１行参照）に示すように周知でもある。
　そこで、引用発明において、繊維フリース（繊条の流れ）のコンベヤ（コンベヤバンド２０）から成形装置（ロツド成形装置２１）への移送部の下流に硬化装置を設け、相違点４に係る本願補正発明の発明特定事項のようにすることは当業者が適宜なし得たことである。
　
（相違点５について）
　一般に帯状材料の搬送手段において、圧縮空気供給手段により帯状材料に圧縮空気を作用させ、搬送手段の表面から帯状材料を剥離させるようにしたものは、例えば、原査定の拒絶の理由に引用された、特開平２０００−２５５８５５号公報（フイルム１１を吸引搬送するベルト４６の下流側のロール５９の部分に、ベルトからフイルム１１を剥離するためにエアーを吹きつけるエアーノズル６１，６２を設けた点：段落【００３４】、図５，１０等参照）を始めとして、特開平２−１３２０４９号公報（セルロース繊維のウエブ１２をソリッドロール１０の表面から空気ジェットにより剥離するためのドクターブレード・空気ジェット組立体３０：６ページ左上欄１７行〜右上欄１５行、図２等参照）、特開平５−１９５４０４号公報（カーテン状のフィラメント３を吸引搬送するテークアップロール５に、空気吹き出し室１３を設け、ロール表面からフィラメント３を剥離する点：段落【００３０】、図１等参照）、及び米国特許第２９５８３７９号明細書（成形ワイヤ２１０及びシリンダ・モールド２１２により吸引搬送される繊維質のウエブＷ”をエアブラスト手段２２１により剥離する点：１欄７０行〜２欄１１行、１図等参照）等に示すように従来周知である。
　また、引用例には、成形装置へ搬送される繊維（繊条）の流れを狭い流れに寄せ集めるにあたり、コンベヤバンド４０下方に収斂する空気圧力マニホールドを設け、コンベヤバンド４０上の繊維（繊条）の幅方向両側部分が空気のジェットにより剥離してコンベヤバンド４０の幅方向中心に向かって変位するようにすること（記載エ）が示されているが、このことは、コンベヤ（コンベヤバンド４０）上を搬送される繊維フリース（繊条の流れ）を、コンベヤの吸引ベルト（コンベヤバンド４０）から少なくとも一部剥がす手段として、圧縮空気を吹き出す手段を用いることができることを示唆しているということもできる。
　そこで、引用発明に、上記周知技術を適用し、コンベヤの吸引ベルト（コンベヤバンド４０）の終端部に、圧縮空気を作用可能なノズルを配設し、このノズルのノズルスリットを通って流れる圧縮空気により、繊維フリース（繊条の流れ）が、吸引ベルト（コンベヤバンド４０）から剥がされるようにし、相違点５に係る本願補正発明の発明特定事項のようにすることは当業者が容易に想到し得たことである。
　
　そして、本願補正発明による効果も、引用発明及び周知技術から当業者が予測し得た程度のものであって、格別のものとはいえない。
　
　したがって、本願補正発明は、引用発明及び周知技術に基いて、当業者が容易に発明をすることができたものであるので、特許法第２９条第２項の規定により、特許出願の際独立して特許を受けることができない。
　
３−４．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
III．本願発明
　本件補正は、上記のとおり却下されたので、本願の請求項１３に係る発明（以下、同項記載の発明を、「本願発明」という）は、平成２２年５月１１日付けの手続補正書により補正された特許請求の範囲の請求項１３に記載された事項により特定される、以下のとおりのものである。
「繊維フリース（２９，３３，３４）をコンベヤ（３２）上で形成するために、分離されたフィルタ材料をコンベヤ（３２）上に搬送する降下装置（１１，５３）と、繊維フリース（２９，３３，３４）の周りに被覆材料帯（４２）を巻く成形装置（５６）と、繊維フリース（２９，３３，３４）をコンベヤ（３２）から成形装置（５６）に移送するための装置（３６，５４，６２，６３，６６，７０，７２，７３）とを備え、降下装置（１１，５３）が、搬送空気によってコンベヤ（３２）の方向のフィルタ材料（２７）の搬送を可能にし、繊維フリース（２９，３３，３４）のコンベヤ（３２）から成形装置（５６）への移送部の下流に硬化装置（３９）が設けられており、被覆材料帯（４２）に載せるために、繊維フリース（２９，３３，３４）が圧縮空気（３７，６７，６９）によってコンベヤ（３２）の吸引ベルト（４３）から剥離可能であることを特徴とするフィルタ連続体製造装置（９）。」　
IV．引用例の記載事項
　原査定の拒絶の理由に引用された引用例、及び、その記載事項は、前記II.３−１に記載したとおりである。
　
Ｖ．対比・判断
　本願発明は、前記II．１の本願補正発明から、「コンベヤ（３２）の吸引ベルト（４３）の終端部に、圧縮空気（６７）を作用可能なノズル（６８，７０，７１）が配設され、このノズルのノズルスリットを通って流れる圧縮空気（６７）により、繊維フリースが、吸引ベルト（４３）から剥がされ、被覆材料帯（４２）上に搬送される」との限定事項を「被覆材料帯（４２）に載せるために、繊維フリース（２９，３３，３４）が圧縮空気（３７，６７，６９）によってコンベヤ（３２）の吸引ベルト（４３）から剥離可能である」と省略したものである。
　そうすると、本願発明の発明特定事項をすべて含み、さらに、他の発明特定事項を付加したものに相当する本願補正発明が、前記II．３−３に記載したとおり、引用発明及び周知技術に基いて、当業者が容易に発明をすることができたものであるから、本願発明も、同様に、引用発明及び周知技術に基いて、当業者が容易に発明をすることができたものである。
　
VI．むすび
　以上のとおり、本願発明は、引用発明及び周知技術に基いて、当業者が容易に発明をすることができたものであるから、特許法第２９条第２項の規定により、特許を受けることができない。
　よって、結論のとおり審決する。